(57)【要約】【課題】単純な調整操作で刈り込み高さの調整をすることができる芝刈り機を提供する。【解決手段】本体３に取り付けられ、芝生と接するベース部材６とを備えた芝刈り機１であって、前記本体３に対して前記ベース部材６を固定する凹凸係合部８を備え、前記凹凸係合部８は、前記本体３又は前記ベース部材６のいずれか一方に形成された複数の凹部３３と、いずれか他方に形成された一対の凸部６３とから成り、前記ベース部材には、前記凹部と凸部の固定を維持又は固定を解除する固定解除ノブ８０を備え、前記固定解除ノブ８０は、前記ベース部材６に回動可能に取り付けられ、前記凹部３３と凸部６３を固定又は解除可能にするための突起８０ａ、８０ｂを有し、前記突起８０ａ、８０ｂは、前記固定解除ノブの回動により前記凹部３３と凸部６３を固定する固定位置と前記凹部３３と凸部６３の固定を解除する解除位置に移動可能である。【選択図】図１
2010115181.tif 000002
【特許請求の範囲】
【請求項１】
ブレードを備える本体と、
前記本体に取り付けられ、刈り込み対象と接する摺動面を有するベース部材とを備え、
前記ブレードの面が、前記ベース部材の摺動面に対して略平行方向に配置され、
前記ベース部材の摺動面が、前記ブレードの面に対する略平行状態を維持したまま前記ブレードとの間隔を調整自在とされている芝刈り機であって、
前記本体に対して前記ベース部材を固定する凹凸係合部を備え、
前記凹凸係合部は、
前記本体又は前記ベース部材のいずれか一方に形成された複数の凹部と、
前記ベース部材又は前記本体のいずれか他方に形成された一対の凸部と、を備え、
前記ベース部材には、前記凹部と凸部の固定を維持又は固定を解除する切替手段を備え、
前記切替手段は、前記ベース部材に回動可能に取り付けられる固定解除ノブを備え、
前記固定解除ノブは、
前記凹部と凸部を固定又は解除可能にするための突起を有し、
前記突起は、
前記固定解除ノブの回動により前記凹部と凸部を固定する固定位置と前記凹部と凸部の固定を解除する解除位置に移動可能であることを特徴とする芝刈り機。
【請求項２】
請求項１に記載の芝刈り機において、
前記本体は前記本体の下方前方に第１の当接部を備えるとともに、前記第１の当接部と前記凹凸係合部の間に第２の当接部を備え、
前記ベース部材は前記第１の当接部と当接する第１の支持部と、前記摺動面の後方端から上方に傾斜して延びる前記本体と対向する面に前記第２の当接部と当接する第２の支持部を備えることを特徴とする芝刈り機。
【請求項３】
請求項１、又は２に記載の芝刈り機において、
前記ベース部材の後方には、前記本体と前記ベース部材との固定を解除する操作部を備え、
前記操作部の後端は前記本体の後端部よりも後方へ突出していることを特徴とする芝刈り機。
【請求項４】
請求項１乃至３のいずれか一項に記載の芝刈り機において、
前記ベース部材は、前方から後方端部に延びる集芝部を備えているとともに、後方が略双胴艇の舳先の形状に形成されて前記後方端部の集芝部が左右に区分けされていることを特徴とする芝刈り機。
【請求項５】
請求項１乃至４のいずれか一項に記載の芝刈り機において、
前記ベース部材は、前記本体の全長よりも長く形成されていることを特徴とする芝刈り機。
【発明の詳細な説明】
【技術分野】
【０００１】
本発明は、芝刈り機に係り、特に、芝の刈り込み高さを調整する機構を備えた芝刈り機に関するものである。
【背景技術】
【０００２】
従来から、地面に生えている芝の刈り込み作業に用いられる芝刈り機が知られている。この種の芝刈り機は、例えば、固定刃と可動刃とを重ねて配置し、可動刃を固定刃に対して横方向に往復運動させることで芝を刈り込むことができるようになっている。また、２枚の可動刃を重ねて配置し、それぞれの可動刃を横方向に、且つ互いの可動刃を逆方向に往復運動させることで芝を刈り込むような芝刈り機も存在する。さらに、固定刃と可動刃とを重ねて配置し、可動刃を回転運動させることで芝を刈り込む芝刈り機も存在する。
【０００３】
そして、上記のような芝刈り機にあっては、所定の高さで芝を刈り込むことを目的として、様々な工夫が施された芝刈り機が存在している。
【０００４】
【特許文献１】特開２００７−４４０３７号公報
【０００５】
特許文献１に記載の芝刈り機は、ブレードを備える本体と、本体の下方前方及び後方に配置される２つの本体位置決め部を介して配置されるとともに、刈り込み対象と接する摺動面を備えるスライダと、下方前方又は後方に配置される本体位置決め部のいずれか一方とスライダとを固定することによって、本体のスライダに対する位置決め固定を実現する固定具と、を備える芝刈り機であって、ブレードの面が、スライダの摺動面に対して略平行方向に配置され、且つ、スライダの摺動面に対する略平行状態を維持したままブレードとの間隔を調整自在とされている。
【０００６】
このようにして構成された特許文献１に記載の芝刈り機は、スライダの摺動面がブレードの面と略平行状態を維持したまま、ブレードとスライダの間隔を調整することが可能となっており、これによって、ブレードが上下方向に平行移動し、地面からの芝の刈り込み高さを調整するものである。
【発明の開示】
【発明が解決しようとする課題】
【０００７】
しかしながら、特許文献１に記載の芝刈り機は、高さ調整を行う際において、本体３とベース部材６とを固定又は解除する時の固定具の締め付けは、つまみをねじによって締め付けているため、しっかりと固定するのには所定の力が必要であった。また、つまみを回して締め付けるためにはその締付及び緩めるのに時間がかかっていた。
【０００８】
そこで、本発明は上述した問題に鑑みてなされたものであり、刈り込み作業の邪魔にならず、より単純な調整操作で刈り込み高さの調整をすることができ、確実に位置決め固定をすることができる芝刈り機を提供することを目的とする。
【課題を解決するための手段】
【０００９】
以下、本発明について説明する。なお、本発明の理解を容易にするために添付図面の参照番号を括弧書きにて付記するが、それにより本発明が図示の形態に限定されるものではない。
【００１０】
本発明に係る芝刈り機（１）はブレード（２）を備える本体（３）と、前記本体（３）に取り付けられ、刈り込み対象と接する摺動面（６ａ）を有するベース部材（６）とを備え、前記ブレード（２）の面が、前記ベース部材（６）の摺動面（６ａ）に対して略平行方向に配置され、前記ベース部材（６）の摺動面（６ａ）が、前記ブレード（２）の面に対する略平行状態を維持したまま前記ブレード（２）との間隔を調整自在とされている芝刈り機（１）であって、前記本体（３）に対して前記ベース部材（６）を固定する凹凸係合部（８）を備え、前記凹凸係合部（８）は、前記本体（３）又は前記ベース部材（６）のいずれか一方に形成された複数の凹部（３３）と、前記ベース部材（６）又は前記本体（３）のいずれか他方に形成された一対の凸部（６３）とを備え、前記ベース部材（６）には、前記凹部（３３）と凸部（６３）の固定を維持又は固定を解除する切替手段（８０）を備え、前記切替手段（８０）は、前記ベース部材（６）に回動可能に取り付けられる固定解除ノブを備え、前記固定解除ノブは、前記凹部（３３）と凸部（６３）を固定又は解除可能にするための突起（８０ａ、８０ｂ）を有し、前記突起（８０ａ、８０ｂ）は、前記固定解除ノブの回動により前記凹部（３３）と凸部（６３）を固定する固定位置と前記凹部（３３）と凸部（６３）の固定を解除する解除位置に移動可能であることを特徴とする。
【００１１】
また、本発明に係る芝刈り機において、前記本体（３）は前記本体（３）の下方前方に第１の当接部（３１）を備えるとともに、前記第１の当接部（３１）と前記凹凸係合部（８）の間に第２の当接部（３２）を備え、前記ベース部材（６）は前記第１の当接部（３１）と当接する第１の支持部（６１）と、前記摺動面（６ａ）の後方端から上方に傾斜して延びる前記本体（３）と対向する面に前記第２の当接部（３２）と当接する第２の支持部（６２）を備えることを特徴とする。
【００１２】
また、本発明に係る芝刈り機において、前記ベース部材（６）の後方には、前記本体（３）と前記ベース部材（６）との固定を解除する操作部（６ｄ）を備え、前記操作部（６ｄ）の後端は前記本体（３）の後端部よりも後方へ突出していることを特徴とする。
【００１３】
また、本発明に係る芝刈り機において、前記ベース部材（６）は、前方から後方端部に延びる集芝部（７０）を備えているとともに、後方が略双胴艇の舳先の形状に形成されて前記後方端部の集芝部（７０）が左右に区分けされていることを特徴とする。
【００１４】
また、本発明に係る芝刈り機において、前記ベース部材（６）は、前記本体（３）の全長よりも長く形成されていることを特徴とする。
【発明の効果】
【００１５】
本発明に係る芝刈り機によれば、固定解除ノブを用いて容易にベース部材に対する本体の固定及び解除を行い、簡単な操作で刈り込み高さの調整ができる。また、ベース部材を大きくしたことで従来の芝刈り機よりも芝を多く集められ、芝を廃棄する頻度を少なくできる。また、ベース部材の後端を略双胴艇の舳先の形状としたため、芝刈り機を後方に引く際に、当該ベース部材が芝に引っかかることなく滑らかに後退させることができる。さらに、ベース部材を本体の全長よりも長くしたので、本体が安定し、本実施形態のように操作部が本体から離れている場合であっても安定して芝刈りを行うことができる。
【発明を実施するための最良の形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
図１は本実施形態に係る芝刈り機の部分断面を含む全体構造を示す正面図、図２は芝刈り機の平面図、図３は芝刈り機の本体とベース部材の一部断面正面図、図４はベース部材の平面斜視図、図５はベース部材の底面斜視図、図６は本体とベース部材の組付状態を示す一部断面正面図、図７は固定解除ノブ近傍の拡大図、図８は固定解除ノブの縦断面図、図９は固定解除ノブがベース部材に取付けられた時の簡易構成図、図１０は図９のＡ−Ａ断面図、図１１は高さ調整機構の動作を説明するための一部断面正面図である。
【００１８】
なお、説明し易いように、図１に示す芝刈り機の右側を前方、左側を後方として説明する。また、以下の説明において、本体の内部構造については一般的な電動式の芝刈り機と同様であるので、簡単に説明をするものとする。
【００１９】
本実施形態に係る芝刈り機１は、起動操作等を延長ハンドルで操作できるタイプの一般にポールバリカンと称される芝刈り機であって、使用者が立った状態で、片手で持って地面に生えた芝を一定の高さに刈り込み可能である。また、当該芝刈り機１は、芝の刈り込み高さを調整することができ、且つ、その調整作業を容易に行うことができる高さ調整機構を備えている。
【００２０】
図１に示すように、本実施形態に係る芝刈り機１は、芝を刈り込むブレード２を下方前方に突出させて備えている本体３と、本体３の下方に配置され、地面Ｇに生えている芝生上を摺動するベース部材６とを備え、前記ベース部材６は前記本体３を支持するとともに、前記ベース部材６に対する前記本体３の位置を調整し、前記ブレード２の面を地面Ｇに対して略垂直方向に移動させて地面Ｇからのブレード２の高さＴを所定の刈刃高さに固定することができる。
【００２１】
本体３は、左右二つ割り片を突き合わせて形成されるハウジング３ａを有している。ハウジング３ａの内部には、ブレード２を駆動するモータ等の図示しない駆動部や当該駆動部からの動力をブレードに伝達するための動力伝達機構部、駆動部を電気的に制御するための基板などが内蔵されている。
【００２２】
本体３の後方上部には、使用者が本体３を把持するための略Ｄ字状の把持部４を有している。この把持部４の内周前方には、トリガー５が設けられている。このトリガー５は、駆動部を駆動するためのスイッチとして機能する。芝刈り機１は、使用者によってこのトリガー５が押圧されることにより、駆動部が起動し、ブレード２が作動するようになっている。
【００２３】
また、前記把持部４には、所定のジョイント部２５を介して後方に延びるアーム部２６と、当該アーム部２６の先端に取り付けられる操作ハンドル部２７と、が着脱可能に取付けられている。アーム部２６は、ジョイント部２５を介して本体３に対して上下方向に回動可能に取り付けられており、本実施形態の芝刈り機１は、操作ハンドル部２７の高さ位置を自由に調整することが可能である。
【００２４】
操作ハンドル部２７は、使用者が把持するための把持部２８を有しており、当該把持部２８には、トリガー２８ａが設けられている。本実施形態の芝刈り機１は、トリガー５が常に押圧状態となるように把持部４にジョイント部２５が取り付けられており、当該操作ハンドル部２７に設けられたトリガー２８ａを用いて駆動部を起動させ、ブレード２を作動させるようになっている。
【００２５】
ここで図２に示すように、ブレード２は上刃２ａと下刃２ｂにより構成されており、上刃２ａと下刃２ｂの先端側には複数の刈刃が形成されている。このようにして、上刃２ａと下刃２ｂが互いの面に沿って揺動することにより、芝が両刃の刈刃間に挟まれて切断される。また、上刃２ａ及び下刃２ｂには、幅広タイプのものが使用されており、本体３の幅よりも広くなっている。
【００２６】
このようにして使用者は、操作ハンドル部２７を片手で持ってトリガー２８ａを操作し、芝刈り機１を地面Ｇに生えている芝生上でスライド移動させることにより、地面Ｇに生えている芝を容易に刈り取ることが可能となっている。
【００２７】
以下、本実施形態の芝刈り機１の高さ調整機構の構成について図１乃至図１１を用いて説明する。
【００２８】
図１及び図２に示すように、ハウジング３ａの下方前方には、ハウジング３ａの左右両側に一対の第１の当接部３１が形成される。また、図１に示すように、ハウジング３ａの下方略中央には、本体３の左右に延びる第２の当接部３２が形成されている。
【００２９】
図１及び図３に示すように、ハウジング３ａの下方後方には、ベース部材６を組み付けるために略中央部から後方上方に向かって傾斜して延びる断面が略Ｕ字状の収納凹部４ａが形成されている。ここで、前記収納凹部４ａは地面に対し、角度θの傾斜角で傾斜しており、角度θは４５度未満、望ましくは２５度である。また、この収納凹部４ａの左右両側には前後方向に延びるスライド面３５が形成されており、このスライド面３５は、前記収納凹部４ａと同様に角度θの傾斜角で傾斜している。また、スライド面３５の上面には、それぞれ３つの凹部３３が形成されている。また、前記第２の当接部３２は、前記収納凹部４ａの上面前方に形成されている。
【００３０】
一方、図１、図３乃至図５に示すようにベース部材６には、その下端に地面Ｇに生えている芝生上を摺動するための略水平状の摺動面６ａが形成されている。また、ベース部材６の後部は、略双胴艇の舳先の形状となるように中央部が凸状に盛り上げられて形成されている。
【００３１】
また、図４に示すようにベース部材６の前方には、前記本体３の第１の当接部３１と当接し、前記本体３の前方を支持する階段状の第１の支持部６１が形成されている。また、ベース部材６の上面には、左右前方から左右後方にかけて、前記ブレード２により刈り込まれた芝生を捕集する集芝部７０が形成されている。
【００３２】
さらに、図３乃至図５示すように、ベース部材６には中央部から後方上方に向けて傾斜して延びる高さ調整部６ｃと、その端部から後方へと略水平方向に延びる操作部６ｄが形成されている。この操作部６ｄは、ブレード２の刈り込み高さ調整のために利用者が操作するものであって、当該操作部６ｄは利用者が操作し易いように、その後端部が本体３の後端よりも後方に配置されている。このように操作部６ｄを本体３の後端よりも後方へ設けることで利用者は操作しやすく便利である。
【００３３】
図３及び図４に示すように、高さ調整部６ｃは断面が略Ｕ字形状に形成され、その上部には左右に突出する一対の鍔部６５が形成されている。ここで、前記高さ調整部６ｃは地面に対し、角度θの傾斜角で傾斜しており、角度θは４５度未満、望ましくは２５度である。前記一対の鍔部６５の各下面には、それぞれ単一の凸部６３が一対形成されている。また、前記鍔部６５の上面６５ａの前方は、図６に示すように、ベース部材６と本体３を組み付けた時に前記第２の当接部３２と当接し、前記本体３の後方を支持する第２の支持部６２として形成されている。
【００３４】
図７乃至図９に示すように、高さ調整部６ｃに設けられている鍔部６５の下方端面には、本願の固定解除ノブとして機能する円筒状のつまみ８０がピン８１により軸支され回動可能に取り付けられている。当該つまみ８０は、図８に示すように、上方に付勢される球体８２が設けられ、対向する高さ調整部６ｃの端面に形成される半円状の溝８２ａ（８２ｂ）と係合する。当該溝８２ａ（８２ｂ）は、図５に示すように、つまみ８０の回転方向に２つ形成されており、２つの溝８２ａ、８２ｂの２点間でつまみ８０の回動範囲が規制されるようになっている。
【００３５】
図１０に示すように、当該つまみ８０は、高さ調整部６ｃの下端面に対して水平方向に対向して形成される一対の突起８０ａ、８０ｂを有している。当該突起８０ａ、８０ｂは、一方の溝８２ｂに球体８２が収容されたときに、前記鍔部６５と対向する一方で、他方の溝８２ａに前記球体８２が収容されたときに、前記鍔部６５の内側へと移動する。
【００３６】
前記本体３とベース部材６は、図６に示すようにベース部材６に形成されている鍔部６５に、前記本体３に形成されている収納凹部４ａが摺動可能に挿入されて、前記鍔部６５が前記収納凹部４ａのスライド面３５に当接することにより組み付けられる。また、図３に示すように、３つの凹部３３のうちの任意の１つと前記凸部６３が凹凸係合することにより、図６に示すように凹凸係合部８を形成し、本体３とベース部材６の位置決めがなされる。また、本体３には鍔部６５に対向する位置に弾性体としてのコイルバネ７が設けられている。このコイルバネ７の先端には、ベース部材６の鍔部６５に当接するベース固定用部材７ａが設けられている。このベース固定用部材７ａを介してベース部材６の鍔部６５を本体３のスライド面３５に付勢することで、本体３とベース部材６が凹凸係合し、本体３とベース部材６の固定を維持する。
【００３７】
なお、本体３の前方の位置決めは、図３及び図４に示すように、凹凸係合された凹部３３に対応する前記第１の支持部６１のうちの所定の段と前記第１の当接部３１とが当接することによって行われる。またこのとき、本体３が備える前記第２の当接部３２は、ベース部材６が備える前記第２の支持部６２と当接する。したがって、本体３はベース部材６の前記第１の支持部６１と前記第２の支持部６２により支持され、ベース部材６に対する本体３の高さ方向の位置が決定される。
【００３８】
ここで、図６に示されるように、第２の支持部６２はベース部材６の略中央から後方に延びる傾斜した鍔部６５の上面６５ａに設けられているため、使用者が芝刈り機１を地面Ｇと垂直方向に押し付けて作業をする際に、押付力に対する反力に鍔部６５に沿う方向の分力が生じる。この鍔部６５に沿う方向の分力はベース部材６を本体３の後方上方へ移動させる方向に作用するため、前記凸部６３の後方面を前記凹部３３の後方面に押圧する力として作用する。
【００３９】
なお、図３に示すように、前記凹部３３の後方面は底部３３ａから略垂直（７５°乃至９０°）に延びる面３３ｃとして形成されており、前記凸部６３の後方面は頂部６３ａから略垂直（７５°乃至９０°）に延びる面６３ｃとして形成されている。これらの面３３ｃ、６３ｃが互いに当接することにより、前記鍔部６５に沿う方向の分力を効果的に凹凸係合部８の固定に利用することができる。
【００４０】
また、前記凹部３３と前記凸部６３が凹凸係合をした状態において、凹部３３の底部３３ａと凸部６３の頂部６３ａの間には間隙８ａが設けられている。この間隙８ａは芝の刈り込みにより生じた塵埃等を凹凸係合部８に介入させずに間隙８ａに捕集することができる。この結果、凹凸係合の固定及び解除の作動を円滑に行うことができる。
【００４１】
このようにして、ベース部材６と本体３とが組み付けられた後、つまみ８０を図７に示すように、固定方向へ回動して一方の溝８２ｂに球体８２が収容された時に、前記鍔部６５の凸部６３と嵌合する凹部３３が形成されたスライド面３５が当該鍔部６５と突起８０ａ、８０ｂとで挟み込まれ、固定される。これによって本体３とベース部材６の凹凸係合を確実なものとし、容易にベース部材６と本体３の固定を維持することが可能である。
【００４２】
一方、つまみ８０を図８に示す解除方向へ回動して他方の溝８２ａに球体８２が収容されたときに、当該突起８０ａ、８０ｂは、鍔部６５よりも内側に移動することで、当該突起８０ａ、８０ｂと鍔部６５とによるスライド面３５の挟み込みを解除する。これによって凹部３３が鍔部６５の凸部６３から外れることができ、ベース部材６と本体３とを分離することが可能になる。
【００４３】
すなわち、本実施形態の芝刈り機１は、図７に示すように、つまみ８０の回転によって、本体３とベース部材６とを固定する固定位置と、その固定を解除可能な解除位置と、に切替可能になっている。
【００４４】
また、ベース部材６に対する本体３の高さを調整する場合には、図７に示すように、まず、つまみ８０を解除方向に回動し、突起８０ａ、８０ｂと鍔部６５とによるスライド面３５の挟み込みを解除した後、図１１に示すように、ベース部材６に設けられた操作部６ｄを弾性体７の付勢力に対向して本体３の収納凹部４ａの内（矢印方向Ｆ）に向けて持ち上げて、前記凸部６３と前記凹部３３の係合を解除するとともに、ベース部材６の前方を下方に下げることで、第１の当接部３１と第１の支持部６１との当接を解除する。さらに、ベース部材６の操作部６ｄを矢印方向Ｆに持ち上げたままベース部材６の鍔部６５の下面６５ｂを本体３に設けられた収納凹部４ａに形成したスライド面３５に沿って摺動させることで、凸部６３を別の凹部３３まで移動させ、その後、ベース部材６から手を離すと、コイルバネ７の付勢力によりベース固定用部材７ａを介して、ベース部材６の凸部６３が本体３の凹部３３に付勢され、ベース部材６に対する本体３の高さが調整される。そして、つまみ８０を固定位置に回動して突起８０ａ、８０ｂと鍔部６５とでスライド面３５を挟み込み、本体３とベース部材６の凹凸係合を確実なものとし本体３とベース部材６とを固定すれば良い。
【００４５】
なお、本体３の前方の位置決めについては、ベース部材６は合成樹脂材等からなる剛体であるため、後方の位置が凹凸係合により固定されると、摺動面６ａはブレード２の面と略平行な位置に復帰するため、第１の当接部３１は、前記凹凸係合した凹部３３に対応する第１の支持部６１の所定の段に当接することができる。
【００４６】
また、第１の当接部３１と当接する階段状の第１の支持部６１の段の段差と凹凸係合部８を構成する複数の凹部３３のそれぞれの段差は、同じ高さとなるように形成されており、本体３を凹凸係合により位置決めするときに、地面Ｇに対して略垂直方向に本体３の高さを調整できるようになっている。
【００４７】
また、前記凹部３３と前記凸部６３の前方面にはそれぞれ前方方向へ傾く傾斜面３３ｂ、６３ｂが形成されている。この傾斜面３３ｂ、６３ｂは、凹凸係合の解除後にベース部材６を摺動させる際に、凹部３３と凸部６３が相互に干渉することを防止することができ、より円滑に調整操作をすることができる。
【００４８】
このように、本実施形態に係る芝刈り機１は、ベース部材６と本体３の取り付け又は取り外しを容易にするためのつまみ８０が設けられ、当該つまみ８０には突起８０ａ、８０ｂが形成されており、当該つまみ８０を固定位置と解除位置に切り替えるように回動することで当該突起８０ａ、８０ｂによって凹凸係合部８の固定又は解除を行うことが可能となっている。よって、つまみ８０の回動のみで、刈り込み高さＴの調整のためのベース部材６と本体３の固定又は解除を容易に行うことが可能である。また、本体３をベース本体６に支持する支持部を前後に設けたため、水平状態を維持したまま刈り込み高さＴの調整を行うことができる。
【００４９】
また、本実施形態に係る芝刈り機１のベース部材６の後方には、操作部６ｃが後方へ突出して設けられており、つまみ８０を固定位置から解除位置に回動し、当該操作部６ｄを上方へ持ち上げるだけで、刈り込み高さＴを調整する際における本体３とベース部材６の凹凸係合の解除を行うことができる。よって、刈り込み高さＴの調整のためのベース部材６と本体３の解除を容易に行うことが可能である。
【００５０】
このように本実施形態の芝刈り機１は、つまみ８０を固定位置から解除位置に回動し、ベース部材６の操作部６ｄを本体３の収納凹部４ａの内に向けて持ち上げて、本体３とベース部材６の凹凸係合を解除するだけで、地面Ｇとブレード２の面との間の略平行状態を維持しながら、ブレード２と地面Ｇの距離を調整し、再度、つまみ８０を固定位置に回動することで、刈り込み高さＴを容易に調整することが可能となっている。
【００５１】
また、ベース部材６は、上面に大きな集芝部７０を備え、後方が略双胴艇の舳先の形状に形成されて前記後方端部の集芝部７０が左右に区分けされている。よって、芝を多く集められ、芝を廃棄する頻度を少なくできる。また、ベース部材６の後端を略双胴艇の舳先の形状としたため、芝刈り機１を後方に引く際に、当該ベース部材６が芝に引っかかることなく滑らかに後退させることができる。
【００５２】
また、本実施形態の芝刈り機１のベース部材６は、本体３の全長よりも長く形成されている。よって、本体３が安定し、本実施形態の芝刈り機１のように操作ハンドル部２７が本体３から離れている場合であっても安定して芝刈りを行うことができる。
【００５３】
以上、本発明の好適な実施形態について説明したが、本発明の技術的範囲は上記各実施形態に記載の範囲には限定されない。例えば、芝刈り機１の前方の位置決めを容易に行うため、当該ベース部材６に形成された第１の支持部６１は、複数の窪みによって形成されても構わない。このようにすれば、第１の当接部３１は、位置決めの際にこの窪みに嵌り込むこととなり、容易、且つ確実に前方の位置決めを行うことができる。
【００５４】
また、第１の実施形態で説明したブレード２は、一対の可動刃（上刃２ａ及び下刃２ｂ）を備えているが、下刃２ｂを固定し、上刃２ａのみが下刃２ｂの上面を揺動するようにしても構わない。
【００５５】
また、本発明の第１の実施形態に係る芝刈り機１において、本体３に一対の単一の凸部６３を形成し、ベース部材６に複数の凹部３３を形成しても構わない。
【００５６】
さらにまた、本発明の実施形態に係る芝刈り機１において、把持部４は、本体３に別部材として取り付けられるハンドルとしても構わないし、略Ｃ字形状でも構わない。
【００５７】
さらにまた、本実施形態の芝刈り機１は、ポールバリカンに適用したものであるが、ジョイント部２５が取り外された一般的な芝刈り機にも適用可能である。
【００５８】
さらにまた、本実施形態に係る芝刈り機１において、コイルバネ７はベース部材６に配置しても構わないし、コイルバネ７はゴムでも構わないし、無くても構わない。その様な変更又は改良を加えた形態も本発明の技術的範囲に含まれうることが、特許請求の範囲の記載から明らかである。
【図面の簡単な説明】
【００５９】
【図１】本実施形態に係る芝刈り機の部分断面を含む全体構造を示す正面図である。
【図２】芝刈り機の平面図である。
【図３】芝刈り機の本体とベース部材の一部断面正面図である。
【図４】ベース部材の平面斜視図である。
【図５】ベース部材の底面斜視図である。
【図６】本体とベース部材の組付状態を示す一部断面正面図である。
【図７】固定解除ノブ近傍の拡大図である。
【図８】固定解除ノブの縦断面図である。
【図９】固定解除ノブがベース部材に取付けられた時の簡易構成図である。
【図１０】図９のＡ−Ａ断面図である。
【図１１】高さ調整機構の動作を説明するための一部断面正面図である。
【符号の説明】
【００６０】
１            芝刈り機
２            ブレード
３            本体
３ａ          ハウジング
４            把持部
６            ベース部材
６ａ          摺動面
６ｄ          操作部
７            コイルバネ（弾性体）
３１          第１の当接部
３２          第２の当接部
３３          凹部
３５          スライド面
６１          第１の支持部
６２          第２の支持部
６３          凸部
６５          鍔部
７０          集芝部
Ｆ            押圧方向
８０          つまみ
８０ａ、８０ｂ  突起
【図１】
2010115181.tif 000003
【図２】
2010115181.tif 000004
【図３】
2010115181.tif 000005
【図４】
2010115181.tif 000006
【図５】
2010115181.tif 000007
【図６】
2010115181.tif 000008
【図７】
2010115181.tif 000009
【図８】
2010115181.tif 000010
【図９】
2010115181.tif 000011
【図１０】
2010115181.tif 000012
【図１１】
2010115181.tif 000013